(57)【要約】【課題】  本発明により文字や写真といった複数の異なる画像が混在した原稿を出力する際に、ユーザが出力原稿束をページ毎にユーザが好む光沢度、濃度にて出力したい場合においても、全出力原稿（出力束）に対して、ユーザが好みの光沢度、濃度を設定する手段を備えることで、出力束をページ毎にユーザのユーザの好みにあった光沢度、濃度をもった出力物を容易に得ることが可能となる。【解決手段】  本発明における画像形成装置は、複写時又はプリント時、操作部又は外部コンピュータより、出力画像をページ毎に任意の濃度、光沢度を設定する濃度、光沢度設定手段と、前記濃度、光沢度設定手段の設定に応じて、出力画像の濃度、光沢度を切り換える濃度、光沢度切り換え手段と、を備えることを特徴とする。【選択図】        図１
2006133479.tif 000002
【特許請求の範囲】
【請求項１】
画像形成装置において、
複写時又はプリント時、操作部又は外部コンピュータより、出力画像をページ毎に任意の光沢度を設定する光沢度設定手段と、前記光沢度設定手段の設定に応じて、出力画像の光沢度を切り換える光沢度切り換え手段と、を備えることを特徴とする画像形成装置。
【請求項２】
画像形成装置において、
複写時又はプリント時、操作部又は外部コンピュータより、出力画像をページ毎に任意の濃度を設定する濃度設定手段と、前記濃度設定手段の設定に応じて、出力画像の濃度を切り換える濃度切り換え手段と、を備えることを特徴とする画像形成装置。
【請求項３】
画像形成装置において、
複写時又はプリント時、操作部又は外部コンピュータより、出力画像をページ毎に任意の濃度、光沢度を設定する濃度、光沢度設定手段と、前記濃度、光沢度設定手段の設定に応じて、出力画像の濃度、光沢度を切り換える濃度、光沢度切り換え手段と、を備えることを特徴とする画像形成装置。
【請求項４】
請求項１，２，３のいずれかに記載の画像形成装置において、
複写時又はプリント時、操作部又は外部コンピュータ上からページ毎に出力画像を確認することが可能であり、確認の後ページ毎に各種設定が可能であることを特徴とする画像形成装置。
【請求項５】
請求項１，２，３，４のいずれかに記載の画像形成装置において、
前ジョブ設定を記憶する手段を有し、前ジョブの設定に対して、設定を変更して、再度画像出力することが可能であることを特徴とする画像形成装置。
【発明の詳細な説明】
【技術分野】
【０００１】
本発明は、電子写真方式を用いた画像形成装置における出力画像の光沢度、濃度、制御に関するものである。
【背景技術】
【０００２】
印刷機、複写機、プリンタ等の画像形成装置においては、より高画質な画像出力を求められるようになってきている。高画質の指針の一つとして、印刷された画像の光沢度がある。特に写真やイラストのような画像の場合、光沢度が高い画像が好まれる傾向がある。
【０００３】
画像の光沢度を決めるのは、未定着トナー像を用紙やＯＨＰフィルムなどのシートに定着させるための定着装置における、定着時間や定着温度、すなわち定着時にシートに加える熱量である。定着時にシートに加えられる熱量によって、トナーの溶融状態やシートに対する浸透率が変化し、これにより画像の光沢度が変化する。通常、加えられた熱量が多くなるほど、画像の光沢度が高くなる。しかしこの画像の光沢度はユーザによって好みが分かれる。写真のような画像を出す時は光沢度を高くする人が多い。逆にビジネス文書などは、あまり光っていると用紙への文字の記入がしにくい等の理由から、低光沢を望む人が多い。ただし、これはあくまで一般的な傾向であり、出力したい画像はユーザ個々に違うので、それぞれに合った画像を提供できる機械が望まれている。
【特許文献１】特開平０６−２０２５２０号公報
【特許文献２】特開平０９−１６０３１５号公報
【発明の開示】
【発明が解決しようとする課題】
【０００４】
従来技術としてユーザの望む光沢度を実現するため、ユーザの指定に応じて画像の光沢度の変更を可能としている（例えば、特許文献１参照）。また画像のタイプを判定して画像種類に応じた光沢度で出力することを可能としている（例えば、特許文献２参照）。
【０００５】
しかしながら、文字や写真といった複数の異なる画像が混在した原稿を出力する際に、ユーザが出力束をページ毎に、光沢度を設定して出力したい場合には、特許文献２では画像種類を判定し光沢度を決定するため、装置が判断してページ毎に光沢度が異なる出力となってしまう。また、画像種類の比率を表示してユーザに光沢度を選択させることを行っているが、ユーザが画像種類が判定されるまでの時間待たなければならなく、判定結果をもとに光沢度を設定しなければならないという問題がある。
【０００６】
特許文献１では原稿の文字、写真といった画像の比率をユーザが判定して、ユーザが出力束を同一の光沢度を設定しなければならないという問題がある。
【０００７】
以上述べたように、従来技術では、ユーザが、出力束をページ毎に、ユーザが好む光沢度を容易に得ることは出来ないという問題があった。また、濃度についても同様である。
【０００８】
本発明の目的は以上のような問題を解決し、出力束をページ毎に、最適な光沢度、濃度をもった出力物を容易に得られる画像形成装置を提供するものである。
【課題を解決するための手段】
【０００９】
本出願に係る発明は、前記の目的を達成する手段として、以下の構成を備える。
【００１０】
本発明における画像形成装置は、画像形成装置において、操作部又は外部コンピュータより、出力画像をページ毎に任意の濃度、光沢度を設定する濃度、光沢度設定手段と、前記濃度、光沢度設定手段の設定に応じて、出力画像の濃度、光沢度を切り換える濃度、光沢度切り換え手段と、を備えることを特徴とする。
【００１１】
また、複写時又はプリント時、操作部又は外部コンピュータ上からページ毎に出力画像を確認することが可能であり、確認の後ページ毎に各種設定が可能でありことを特徴とする。
【００１２】
なお、さらに説明すれば、本発明の第一の発明について下記のように示す。
【００１３】
（１）画像形成装置において、複写時又はプリント時、操作部又は外部コンピュータより、出力画像をページ毎に任意の光沢度を設定する光沢度設定手段と、前記光沢度設定手段の設定に応じて、出力画像の光沢度を切り換える光沢度切り換え手段と、を備えることを特徴とする画像形成装置。
【発明の効果】
【００１４】
本発明により文字や写真といった複数の異なる画像が混在した原稿を出力する際に、ユーザが出力原稿束をページ毎にユーザが好む光沢度、濃度にて出力したい場合においても、全出力原稿（出力束）に対して、ユーザが好みの光沢度、濃度を設定する手段を備えることで、出力束をページ毎にユーザの好みにあった光沢度、濃度をもった出力物を容易に得ることが可能となる。また、一度ページ毎にどんな画像であるか確認してから設定をすることが可能なのでユーザビリティを更に向上させることが可能となる。
【発明を実施するための最良の形態】
【００１５】
以下本発明を実施するための最良の形態を、実施例により詳しく説明する。
【実施例】
【００１６】
［画像形成装置縦断面図］
図１は本発明の画像形成装置の実施の一形態の主要部構成を示す縦断面図である。
【００１７】
画像形成装置は、図１に示すように、画像形成装置本体１０と、後処理装置５００とから構成され、画像形成装置本体１０は原稿画像を読取るイメージリーダ４００およびプリンタ３００を備える。
【００１８】
イメージリーダ４００には、原稿給送装置１００が搭載されている。原稿給送装置１００は、原稿トレイ上に上向きにセットされた原稿を先頭頁から順に１枚づつ左方向へ給紙し、湾曲したパスを介してプラテンガラス１０２上を左から流し読取り位置を経て右へ搬送し、その後外部の排紙トレイ１１２に向けて排出する。この原稿がプラテンガラス１０２上の流し読取り位置を左から右へ向けて通過するときに、この原稿画像は流し読取り位置に対応する位置に保持されたスキャナユニット１０４により読取られる。
【００１９】
この読取り方法は、一般的に、原稿流し読みと呼ばれる方法である。具体的には、原稿が流し読取り位置を通過する際に、原稿の読取り面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【００２０】
このように流し読取り位置を左から右へ通過するように原稿を搬送することによって、原稿の搬送方向に対して直交する方向を主走査方向とし、搬送方向を副走査方向とする原稿読取り走査が行われる。すなわち、原稿が流し読取り位置を通過する際に主走査方向に原稿画像を１ライン毎にイメージセンサ１０９で読取りながら、原稿を副走査方向に搬送することによって原稿画像全体の読取りが行われ、光学的に読取られた画像はイメージセンサ１０９によって画像データに変換されて出力される。イメージセンサ１０９から出力された画像データは、後述する画像信号制御部２３０において所定の処理が施された後にプリンタ３００の露光制御部１１０にビデオ信号として入力される。
【００２１】
なお、原稿給送装置１００により原稿をプラテンガラス１０２上に搬送して所定位置に停止させ、この状態でスキャナユニット１０４を左から右へ走査させることにより原稿を読取ることも可能である。この読取り方法は、いわゆる原稿固定読みと呼ばれる方法である。
【００２２】
原稿給送装置１００を使用しないで原稿を読取るときには、まず、ユーザにより原稿給送装置１００を持ち上げてプラテンガラス１０２上に原稿を載置し、そして、スキャナユニット１０４を左から右へ走査させることにより原稿の読取りを行う。すなわち、原稿給送装置１００を使用しないで原稿を読取るときには、原稿固定読みが行われる。
【００２３】
プリンタ３００の露光制御部１１０は、入力されたビデオ信号に基づきレーザ光を変調して出力し、該レーザ光はポリゴンミラー１１０ａにより走査されながら各感光ドラム１１１ａ（Ｙ）、１１１ｂ（Ｍ）、１１１ｃ（Ｃ）１１１ｄ（Ｂｋ）上に照射される。感光ドラム１１１ａ〜ｄには走査されたレーザ光に応じた静電潜像が形成される。ここで、露光制御部１１０は、後述するように、原稿固定読み時には、正しい画像（鏡像でない画像）が形成されるようにレーザ光を出力する。
【００２４】
この感光ドラム１１１ａ〜ｄ上の静電潜像は、現像器１１３ａ（Ｙ）、１１３ｂ（Ｍ）、１１３ｃ（Ｃ）、１１３ｄ（Ｂｋ）から供給される現像剤によって現像剤像として可視像化される。また、レーザ光の照射開始と同期したタイミングで、各カセット１１４，１１５、手差給紙部１２５または両面搬送パス１２４から用紙が給紙され、この用紙は感光ドラム１１１ａ〜ｄと転写部１１６ａ〜ｄとの間に搬送される。感光ドラム１１１ａ〜ｄに形成された現像剤像は転写部１１６ａ〜ｄにより給紙された用紙上に転写される。
【００２５】
現像剤像が転写された用紙は定着部１１７に搬送され、定着部１１７において定着ローラ（図示せず）により用紙を熱圧することによって現像剤像を用紙上に定着させる。定着部１１７を通過した用紙はフラッパ１２１および排出ローラ１１８を経てプリンタ３００から外部に向けて排出される。
【００２６】
ここで、用紙をその画像形成面が下向きになる状態（フェイスダウン）で排出するときには、定着部１１７を通過した用紙をフラッパ１２１の切換動作により一旦反転パス１２２内に導き、その用紙の後端がフラッパ１２１を通過した後に、用紙をスイッチバックさせて排出ローラ１１８によりプリンタ３００から排出する。以下、この排紙形態を反転排紙と呼ぶ。この反転排紙は、原稿給送装置１００を使用して読取った画像を形成するときまたはコンピュータから出力された画像を形成するときなどのように先頭頁から順に画像形成するときに行われ、その排紙後の用紙順序は正しい頁順になる。
【００２７】
また、手差給紙部１２５からＯＨＰシートなどの硬い用紙が給紙され、この用紙に画像を形成するときには、用紙を反転パス１２２に導くことなく、画像形成面を上向きにした状態（フェイスアップ）で排出ローラ１１８により排出する。
【００２８】
さらに、用紙の両面に画像形成を行う両面記録が設定されている場合には、フラッパ１２１の切換動作により用紙を反転パス１２２に導いた後に両面搬送パス１２４へ搬送し、両面搬送パス１２４へ導かれた用紙を上述したタイミングで感光ドラム１１１ａ〜ｄと転写部１１６ａ〜ｄとの間に再度給紙する制御が行われる。
【００２９】
プリンタ３００から排出された用紙は後処理装置５００に送られる。この後処理装置５００では、製本処理、綴じ処理や穴あけなどの各処理を行う。
【００３０】
［システムブロック図］
図２は本発明の画像形成装置のブロック図である。
【００３１】
本図において、２００は制御部（コントローラ）で、ＣＰＵ２００ａ、ＲＯＭ２００ｂ、ＲＡＭ２００ｃ等から構成され、ＲＯＭ２００ｂに格納されたプログラムに基づいて複写シーケンスを総括制御する。
【００３２】
操作部２１０は、複写モード設定キー、複写枚数設定キー、複写動作開始キー、複写動作停止キー、動作モードを標準状態に復帰させるリセットキー等のキー入力部、及び、動作モードの設定状態等を表示するＬＥＤ，液晶等の表示部が配置されている。
【００３３】
そして、原稿に対して、出力画像をページ毎に、光沢度、濃度を設定することができる。
【００３４】
また、外部ＰＣ２３３より同様な複写設定が可能であり、専用ドライバによりプリントに対しても、出力画像をページ毎に光沢度、濃度を設定することができる。
【００３５】
定着制御部２２０は、サーミスタ２２１で、定着ローラ（図示せず）の表面温度を検知し、Ａ／Ｄ変換器２２２でＡ／Ｄ変換された値が定着制御部２２０に入力される。定着制御部２２０は、サーミスタ２２１の検知値により、定着ローラの表面温度が所定値になるよう定着ヒータ２２３を制御している。画像信号制御部２３０は、画像信号データを一端格納する画像メモリ２３１を備えており、一度読み込んだ原稿画像を操作部２１０、外部ＰＣ２３３よりページ毎にどんな画像かを確認することができる。
【００３６】
モータ制御部２４０は、各種搬送ローラ、感光ドラム、定着ローラの駆動モータ２４１の駆動を制御する。
【００３７】
光沢度制御部２５０では、操作部２１０又は外部ＰＣ２３３からの設定情報を基に、定着制御部２２０、モータ制御部２４０に対して光沢度を切り換える為の制御を行う。
【００３８】
濃度制御部２５１では、操作部２１０又は外部ＰＣ２３３から設定情報を基に、高圧制御部２４６、レーザ制御部２４４、に対して濃度を切り換える為の制御を行う。
【００３９】
制御部２５２では、操作部２１０又は外部ＰＣ２３３から設定情報を基に、高圧制御部２４６、レーザ制御部２４４、定着制御部２２０に対して濃度を切り換える為の制御を行う。
【００４０】
次に、光沢度切り換え制御について説明する。
【００４１】
［第１光沢度切り換え実施例］
図３は定着温度に対する出力画像の光沢度を測定した結果例を示す図で、定着温度が高くなるほど形成された画像の表面近傍のトナーが溶け、滑らかになることにより、出力画像の光沢度も大きくなることがわかる。従って、画像種類に応じて定着温度を制御すれば、画像種類に応じた光沢度を得ることができる。
【００４２】
図４は本実施形態の光沢制御部の構成例を示す図で、定着制御部２２０は、定着温度を検知するサーミスタ２２１からの信号およびコントローラ２００からの制御信号に基づいて、定着用のヒータ２２３の温度を制御するものである。つまり、画像を出力する際、後述のユーザによりページ毎の光沢度指定方法により得られた制御信号に応じて、定着制御部２２０は、内部のＲＯＭなどに予め設定された温度になるように定着ヒータ２２３を制御する。この制御目標の温度値は、ユーザによりページ毎に設定された光沢度が得られるように設定されているので、適切な光沢を与えた画像を出力することができる。
【００４３】
具体的に示すと、図５はサーミスタ２２１により測定される温度と時間の関係を示す図で、時間ｔ０に画像種類判定信号４１４（図９）により高光沢度が指示されると、定着制御部２２０は、その指示に応じた設定温度とサーミスタ２２１の検知温度が等しくなるように定着ヒータ２２３を制御し、その後、その画像の定着が終了するまで、その設定温度を維持するように動作する。
【００４４】
なお、例えば、通常の定着温度が約１５０℃の場合、定着温度を約１７０℃まで上げることにより、光沢度を４５％程度に上げて、質感のある画像を出力することができる。また、例えば、定着温度を約１４０℃まで下げることにより、光沢度を１０％程度に下げることができる。
【００４５】
［第２光沢度切り換え実施例］
図６は定着圧力に対する出力画像の光沢度を測定した結果例を示す図で、定着圧力が高くなるほど出力画像の光沢度も大きくなることがわかる。従って、画像種類に応じて定着圧力を制御すれば、画像種類に応じた光沢度を得ることができる。
【００４６】
図７Ａおよび７Ｂは本実施形態の定着ローラ４４８と４４９の近傍を示す図で、軸４４１を中心に回転する固定された定着ローラ４４８と、軸４４２を中心に回転する加圧側の定着ローラ４４９とがあり、定着ローラ４４９には、軸受け４４３および軸受け支持台４４４を介して、定着圧力を規制するばね４４５からの所定の力が作用する。ばね４４５が発する力は、ばね支持台４４６の位置を制御する可変カム４４７によって制御される。
【００４７】
つまり、画像を出力する際、後述の各実施形態の光沢度設定方法により得られた設定に応じ、操作部２１０からコントローラ２００を介し光沢度制御部２５０で、制御を決定し、光沢度制御信号をコントローラ２００に送り、コントローラ２００から加圧制御部２４２に加圧制御信号を送り、前記加圧制御信号に応じて、加圧駆動（モータ（不図示））に連動する可変カム４４７が回転し、その回転に応じた力が定着ローラ４４９へ作用する。
【００４８】
図７Ａは定着ローラ４４９へ作用する力が最小になる場合を示し、光沢度の低い画像が出力される。また、図７Ｂは定着ローラ４４９へ作用する力が最大になる場合を示し、光沢度の高い画像が出力される。つまり、可変カム４４７の回転量は、ユーザによりページ毎に設定された光沢度が得られるように設定されているので、適切な光沢を与えた画像を出力することができる。
【００４９】
［第３光沢度切り換え実施例］
図８は定着スピードに対する出力画像の光沢度を測定した結果例を示す図で、定着スピードが速くなるほど出力画像の光沢度は小さくなることがわかる。なお、ここで言う定着スピードとは、記録紙が定着部を通過するスピードのことである。従って、ユーザによりページ毎に設定された光沢度に応じて定着スピードを制御すれば、ユーザ設定に応じた光沢度を得ることができる。
【００５０】
図９は本実施形態の光沢制御部の構成例を示す図で、モータ制御部２４０は、操作部２１０よりユーザが設定した光沢度設定に基づき光沢度制御部２５０より光沢度制御信号を送りその結果に応じコントローラ２００を介しモータ制御部２４０からの信号に基づいて駆動モータ２４１の回転速度を制御することにより、定着部における記録紙の搬送速度、つまり定着スピードを制御する。
【００５１】
従って、画像を出力する際、後述の各実施形態の光沢度設定方法により得られた設定に応じ、操作部２１０からコントローラ２００を介し光沢度制御部２５０で、制御を決定し、光沢度制御信号をコントローラ２００に送り、コントローラ２００からモータ制御部２４０にモータ制御信号を送り、前記モータ制御信号に応じて、モータ制御部２４０は、内部のＲＯＭなどに予め設定された回転速度になるように駆動モータ２４１を制御する。この制御目標の回転速度は、ユーザによりページ毎に設定されたに応じて最適な光沢度が得られるように設定されているので、適切な光沢を与えた画像を出力することができる。
【００５２】
次に、本発明における操作部画面について説明する。
【００５３】
図１０Ａは画像処理装置の操作部２１０における光沢度、濃度に関する操作キーを示す図（外部ＰＣによる複写時、プリント時の設定も同様）で、出力画像をジョブ単位で、光沢度を自動的に設定するオートモードキー５０１、マニュアルで、画像に対して、光沢度、濃度を設定する画像モードキー５０２〜５０４、本実施例では文字、文字写真、写真モードの３種類の設定が可能となっており、文字は低光沢、文字写真は通常光沢、写真は高光沢の設定となる。
【００５４】
更に、ユーザが任意に光沢度を設定する光沢度設定キー５０５（図中の「光沢なし」、「光沢あり」）が備えられている。この光沢度設定キー５０５により、数段階の光沢度設定から光沢度の選択を行うことが出来る。
【００５５】
画像設定モードキー５０６により、出力画像をページ毎に、光沢度、濃度を設定するかどうかを選択する。画像設定モードキー５０６を押すと、図１０Ｂのような画像設定画面５０８になり、出力画像をページ毎に、光沢度、濃度を設定することができる。設定ページを設定ページ送りキー５１１により、設定でき、光沢度設定キー５０５、濃度設定キー５０７により、光沢度、濃度を設定できる。また、画像確認キー５０９を選択すると、出力画像の何ページがどんな画像であるかを確認できる。
【００５６】
ページ毎に光沢度の設定を行いたい場合には、画像設定画面５０８において、設定したいページを設定ページ送りキー５１１により設定し、そのページの光沢度の設定を光沢度設定キー５０５にて行うことができる。設定の仕方は、予め文字、写真で設定された光沢度を設定も可能で、そこから段階ごとに光沢度を上げることも下げることもできる。また、いくつかまとめて設定もでき、まとめて設定した後、指定ページを設定変更することもできる。
【００５７】
この光沢度設定により、前述したような光沢度切り換え手段により光沢度をページ毎に切り換える制御を行う。
【００５８】
ページ毎に濃度の設定を行いたい場合には、画像設定画面５０８において、設定したいページを設定ページ送りキー５１１により設定し、そのページの濃度の設定を濃度設定キー５０７に行うことができる。設定の仕方は、予め文字、写真で設定された濃度を設定も可能で、そこから段階ごとに濃度を上げることも下げることもできる。また、いくつかまとめて設定もでき、まとめて設定した後、指定ページを設定変更することもできる。
【００５９】
この濃度設定により、濃度切り換え手段により濃度をページ毎に切り換える制御を行う。
【００６０】
濃度については、帯電、露光、現像、転写といった条件を変更することで濃度を制御している。
【００６１】
上記設定を完了し、複写又はプリントを行うと、画像を出力した際に、操作部又は外部ＰＣの画面上に、出力画像がユーザの好み通りであったことを確認する為に、ＯＫ？かどうかを選択する。ＯＫでないと、設定画面に戻り、前回の設定に対して、調整し、再度修正した設定で、複写又はプリントを繰り返すことができる。ＯＫを選択すると、リピートするかどうかを選択する。リピートする、だと、同じ設定で、複写又はプリントを繰り返すことができる。リピートしない、だとジョブが終了する。
【００６２】
次に、本発明における光沢度、濃度制御のフローついて説明する。
【００６３】
図１１は、本発明の制御フローを説明するための制御フローチャート図である。
【００６４】
Ｓ６０１では、ジョブが開始されるのを待つ、ジョブが開始されたらＳ６０２へ進む。
【００６５】
Ｓ６０２では、画像設定モードキー５０６で、画像設定モード（ページ毎に光沢度、濃度、設定を行うか）が指定されているかを判定し、画像設定モードであればＳ６０３へ進み、画像設定モードでなければＳ６１１へ進む。
【００６６】
Ｓ６０３では、画像確認が指定されているかを判定し、画像設定モードであればＳ６０４へ進み、画像設定モードでなければＳ６０５へ進む。
【００６７】
Ｓ６０４では、複写時では、リーダで読取った画像がページ毎にどんな画像であるかを確認し、プリント画像ではどんな画像であるかを確認する。確認が完了したらＳ６０５へ進む。
【００６８】
Ｓ６０５では、光沢度設定モードが指定されているかを判定し、光沢度設定モードであればＳ６０６へ進み、光沢度設定モードでなければＳ６０７へ進む。
【００６９】
Ｓ６０６では、光沢度設定手段により各ページ毎に光沢度設定を行う。光沢度設定が完了したらＳ６０７へ進む。
【００７０】
Ｓ６０７では、濃度設定モードが指定されているかを判定し、濃度設定モードであればＳ６０８へ進み、濃度設定モードでなければＳ６１１へ進む。
【００７１】
Ｓ６０８では、濃度設定手段により各ページ毎に濃度設定を行う。濃度設定が完了したらＳ６１１へ進む。
【００７２】
Ｓ６１１では、設定された光沢度、濃度、画像設定により画像形成動作を行い、Ｓ６１２へ進む。
【００７３】
Ｓ６１２では、出力画像が好み通りであったかを判定し、ＯＫであればＳ６１４へ進み、ＯＫでなければＳ６１３へ進む。
【００７４】
Ｓ６１３では、記憶されていた前回の設定を操作部又は外部ＰＣ上に読み出し、再設定する為にＳ６０５へ進む。
【００７５】
Ｓ６１４にて、繰り返すかどうか判定し、繰り返す場合Ｓ６１１へ進む。繰り返さない場合画像形成動作が完了する。
【００７６】
以上のように、制御を行うことによりページ毎にユーザの好みに合った光沢度、濃度をもった出力物を容易に得ることが可能となる。
【００７７】
［他の実施形態］
なお、本発明は、複数の機器（例えばホストコンピュータ、インタフェイス機器、リーダ、プリンタなど）から構成されるシステムに適用しても、一つの機器からなる装置（例えば、複写機，ファクシミリ装置など）に適用してもよい。
【図面の簡単な説明】
【００７８】
【図１】本発明の実施例が適用された画像形成装置の概略構成を示した図
【図２】本実施例における自動光沢度制御のブロック図
【図３】定着温度に対する光沢度の関係例を示す図
【図４】光沢度制御部の構成を示す図
【図５】サーミスタにより測定される温度と時間との関係を示す図
【図６】定着圧力に対する光沢度の関係例を示す図
【図７】定着ローラ近傍を示す図
【図８】定着スピードに対する光沢度の関係例を示す図
【図９】光沢度制御部の構成を示す図
【図１０】光沢度制御に関連する操作部を示す図
【図１１】本発明の制御フローを説明するための制御フローチャート図
【符号の説明】
【００７９】
１０    画像形成装置本体
１００  原稿給送装置
１０２  プラテンガラス
１０３  ランプ
１０４  スキャナユニット
１０５〜１０７  ミラー
１０８  レンズ
１０９  イメージセンサ
１１０  露光制御部
１１１ａ〜ｄ  感光ドラム
１１３ａ〜ｄ  現像器
１１４〜１１５  カセット
１１６ａ〜ｄ  転写部
１１７  定着部
１１８  排出ローラ
１２１  フラッパ
１２２  反転パス
１２４  両面搬送パス
１２５  手差給紙部
３００  プリンタ
４００  イメージリーダ
５００  後処理装置
２００  制御部（コントローラ）
２００ａ  ＣＰＵ
２００ｂ  ＲＯＭ
２００ｃ  ＲＡＭ
２１０  操作部
２２１  サーミスタ
２２２  Ａ／Ｄ変換器
２２３  定着ヒータ
２３０  画像信号制御部
２３１  画像メモリ
２３３  外部ＰＣ
２４０  モータ制御部
２４１  駆動モータ
２４２  加圧制御部
２４３  加圧駆動
２５０  光沢度制御部
４４８〜４４９  定着ローラ
４４１〜４４２  ローラ軸
４４３  軸受け
４４４  軸受け支持台
４４５  ばね
４４６  ばね支持台
４４７  可変カム
５０１  オートモードキー
５０２〜５０４  画像モードキー
５０５  光沢度設定キー
５０６  画像設定モードキー
５０７  濃度設定キー
５０８  画像設定画面
５０９  画像確認キー
５１０  設定完了キー
５１１  設定ページ送りキー
【図１】
2006133479.tif 000003
【図２】
2006133479.tif 000004
【図３】
2006133479.tif 000005
【図４】
2006133479.tif 000006
【図５】
2006133479.tif 000007
【図６】
2006133479.tif 000008
【図７】
2006133479.tif 000009
【図８】
2006133479.tif 000010
【図９】
2006133479.tif 000011
【図１０】
2006133479.tif 000012
【図１１】
2006133479.tif 000013